(57)【要約】集積オーディオビジュアル出力デバイスは、少なくとも１つのパネルを備えた少なくとも１つのディスプレイ、少なくとも１つのパネルに連接する少なくとも１つのボイスコイル、及び少なくとも１つのボイスコイルに近接する少なくとも１つのマグネットを含み、オーディオ出力を生成するために少なくとも１つのパネルが振動される。他の集積オーディオビジュアル出力デバイスは、少なくとも１つのパネルを備えた少なくとも１つのディスプレイ、少なくとも１つのパネルに連接する少なくとも１つのマグネット、及び少なくとも１つのボイスコイルに近接する少なくとも１つのボイスコイルを含み、オーディオ出力を生成するために少なくとも１つのパネルが振動される。他の集積オーディオビジュアル出力デバイスは、少なくとも１つのパネルを備えた少なくとも１つのディスプレイ、及び少なくとも１つのディスプレイの該少なくとも１つのパネルを振動させるためのオーディオ変換部を含み、少なくとも１つのパネルがその上に、オーディオ変換部によって表現される少なくともオーディオ出力を生成するよう動作する駆動回路を備える。
2010526478.tif 000002
【特許請求の範囲】
【請求項１】
集積オーディオビジュアル出力デバイスであって、
少なくとも１つのパネルを備えた少なくとも１つのディスプレイ、
該少なくとも１つのパネルに連接する少なくとも１つのボイスコイル、及び
該少なくとも１つのボイスコイルに近接する少なくとも１つのマグネット
を備え、
オーディオ出力を生成するために該少なくとも１つのパネルが振動されるデバイス。
【請求項２】
請求項１のデバイスにおいて、該少なくとも１つのディスプレイが、第１のパネル、第２のパネル及び該第１のパネルと該第２のパネル間に配置された液晶層を備えた少なくとも１つの液晶ディスプレイからなるデバイス。
【請求項３】
請求項１のデバイスにおいて、該少なくとも１つのボイスコイルが少なくとも１つの螺旋形インダクタからなるデバイス。
【請求項４】
請求項１のデバイスにおいて、該少なくとも１つのマグネットが永久磁石及び電磁石の少なくとも１つからなるデバイス。
【請求項５】
請求項１のデバイスにおいて、該少なくとも１つのパネルがオーディオデータ及び／又はビジュアルデータを生成するように動作する駆動回路を備えたデバイス。
【請求項６】
請求項１のデバイスであって、さらに、該少なくとも１つのパネル及び該少なくとも１つのボイスコイルを収容するように構成された少なくとも１つのフレームを備えたデバイス。
【請求項７】
請求項６のデバイスにおいて、該少なくとも１つのボイスコイルが該少なくとも１つのフレーム内に組み込まれたデバイス。
【請求項８】
請求項６のデバイスにおいて、該少なくとも１つのボイスコイルが該少なくとも１つのフレーム内に収容されたデバイス。
【請求項９】
請求項６のデバイスにおいて、該少なくとも１つのマグネットが該少なくとも１つのフレーム内に収容されたデバイス。
【請求項１０】
請求項６のデバイスにおいて、該少なくとも１つのマグネットが該少なくとも１つのフレーム内に組み込まれたデバイス。
【請求項１１】
請求項６のデバイスにおいて、該少なくとも１つのマグネットが該少なくとも１つのフレームに外付けされたデバイス。
【請求項１２】
集積オーディオビジュアル出力デバイスであって、
少なくとも１つのパネルを備えた少なくとも１つのディスプレイ、
該少なくとも１つのパネルに連接する少なくとも１つのマグネット、及び
該少なくとも１つのボイスコイルに近接する少なくとも１つのボイスコイル
を備え、
オーディオ出力を生成するために該少なくとも１つのパネルが振動されるデバイス。
【請求項１３】
請求項１２のデバイスにおいて、該少なくとも１つのディスプレイが、第１のパネル、第２のパネル及び該第１のパネルと該第２のパネル間に配置された液晶層を備えた少なくとも１つの液晶ディスプレイからなるデバイス。
【請求項１４】
請求項１２のデバイスにおいて、該少なくとも１つのボイスコイルが少なくとも１つの螺旋形インダクタからなるデバイス。
【請求項１５】
請求項１２のデバイスにおいて、該少なくとも１つのマグネットが永久磁石及び電磁石の少なくとも１つからなるデバイス。
【請求項１６】
請求項１２のデバイスにおいて、少なくとも１つのパネルがオーディオデータ及び／又はビジュアルデータを生成するように動作する駆動回路を備えたデバイス。
【請求項１７】
請求項１２のデバイスであって、さらに、該少なくとも１つのパネル及び該少なくとも１つのマグネットを収容するように構成された少なくとも１つのフレームを備えたデバイス。
【請求項１８】
請求項１７のデバイスにおいて、該少なくとも１つのマグネットが該少なくとも１つのフレーム内に収容されたデバイス。
【請求項１９】
請求項１７のデバイスにおいて、該少なくとも１つのマグネットが該少なくとも１つのフレーム内に組み込まれたデバイス。
【請求項２０】
請求項１７のデバイスにおいて、該少なくとも１つのボイスコイルが該少なくとも１つのフレーム内に収容されたデバイス。
【請求項２１】
請求項１７のデバイスにおいて、該少なくとも１つのボイスコイルが該少なくとも１つのフレーム内に組み込まれたデバイス。
【請求項２２】
請求項１７のデバイスにおいて、該少なくとも１つのボイスコイルが該少なくとも１つのフレームに外付けされたデバイス。
【請求項２３】
集積オーディオビジュアル出力デバイスであって、
少なくとも１つのパネルを備えた少なくとも１つのディスプレイ、及び
該少なくとも１つのディスプレイの該少なくとも１つのパネルを振動させるためのオーディオ変換部
を備え、
該少なくとも１つのパネルがその上に、該オーディオ変換部によって表現される少なくともオーディオ出力を生成するよう動作する駆動回路を備えたデバイス。
【請求項２４】
請求項２３のデバイスにおいて、該少なくとも１つのディスプレイが、第１の基板、第２の基板及び該第１の基板と該第２の基板間に配置された液晶層を備えた少なくとも１つの液晶ディスプレイからなるデバイス。
【請求項２５】
請求項２３のデバイスにおいて、該少なくとも１つのパネルが振動されるように構成された駆動回路を備えるデバイス。
【請求項２６】
請求項２３のデバイスにおいて、該ディスプレイが、少なくとも駆動回路を備えた第１のパネル及びオーディオ出力を生成するために振動される第２のパネルを備えたデバイス。
【請求項２７】
請求項２３のデバイスにおいて、振動させるための手段が少なくとも１つのボイスコイルからなるデバイス。
【請求項２８】
請求項２３のデバイスにおいて、該オーディオ変換部が少なくとも１つの圧電素子からなるデバイス。
【発明の詳細な説明】
【技術分野】
【０００１】
本発明は概略として出力デバイスに関し、より具体的には集積オーディオビジュアル出力デバイスに関する。
【背景技術】
【０００２】
オーディオビジュアル機能のある電子デバイスは一層小型化し、一般的なものとなってきた。従って、オーディオビジュアル部材の小型化も重要なものとなってきた。しかし、従来の設計は、映像を表現するための部材（例えば、液晶層を間に挟んだ、通常はガラスからなる２枚のパネルを含む液晶ディスプレイ（ＬＣＤ））及びオーディオを表現するための部材（例えば、ボイスコイルに取り付けられたスピーカーコーン）といった個別の部材を必要としていた。
【０００３】
最近の技術開発はこれらのオーディオ及び映像部材を集積する試みへと導いてきた。例えば、米国特許第６４２７０１７号は透明圧電スピーカパネルをＬＣＤディスプレイ上に配置することを教示している。このような構成はフロントパネルの厚さが増すという不利益を有し、デバイスのサイズの増大やディスプレイの輝度及び明度の低下の両方をもたらす。さらに、圧電素子は他のオーディオ出力デバイス（例えば、電磁スピーカー）に比べて比較的狭い周波数応答を有する。
【０００４】
米国特許出願公開第２００６／０２２７９８１は、ＬＣＤ基板の一方の端部に圧電励起源を取り付け、それにより外部的に供給される音声信号に連動して基板が振動板として利用されることを教示している。従来技術への改善がなされても、これは圧電励起源及び外部的に供給される音声信号の両方を必要とするので、（外部励起源及び音声信号の外部生成に起因する）デバイスサイズの増加及び（電磁技術ではなく圧電技術の利用に起因して）周波数応答の縮減の両方をもたらしてしまう。さらに、多くの増幅器回路では主に容量性負荷である圧電デバイスを駆動することが困難である。
【０００５】
従って、従来のデバイスによって引き起こされる上記の問題の１つ以上に苛まされない集積オーディオビジュアル出力デバイスへのニーズが存在する。
【発明の概要】
【課題を解決するための手段】
【０００６】
本発明は、例示的実施例において、ディスプレイパネルに連接するボイスコイル及び／又はマグネットを有する集積オーディオビジュアル出力デバイスを提供することによって上記のニーズに応えるものである。
【０００７】
発明の一側面によると、集積オーディオビジュアル出力デバイスは、少なくとも１つのパネル、少なくとも１つのパネルに連接する少なくとも１つのボイスコイル、及び少なくとも１つのボイスコイルに近接する少なくとも１つのマグネットを備えた少なくとも１つのディスプレイを含み、少なくとも１つのパネルはオーディオ出力を生成するために振動される。デバイスはまた、少なくとも１つのパネル及び少なくとも１つのボイスコイルを収容するように構成された少なくとも１つのフレームを含む。少なくとも１つのボイスコイルは、例えば、少なくとも１つのフレーム内に収容され、又は少なくとも１つのフレーム内に組み込まれ得る。少なくとも１つのマグネットは、例えば、フレーム内に収容され、フレーム内に組み込まれ、又はフレームに外付けされ得る。
【０００８】
発明の他の側面によると、集積オーディオビジュアル出力デバイスは、少なくとも１つのパネル、少なくとも１つのパネルに連接する少なくとも１つのマグネット、及び少なくとも１つのマグネットに近接する少なくとも１つのボイスコイルを備えた少なくとも１つのディスプレイを含み、少なくとも１つのパネルはオーディオ出力を生成するために振動される。デバイスはまた、少なくとも１つのパネル及び少なくとも１つのマグネットを収容するように構成された少なくとも１つのフレームを含む。少なくとも１つのマグネットは、例えば、少なくとも１つのフレーム内に収容され、又は少なくとも１つのフレーム内に組み込まれ得る。少なくとも１つのボイスコイルは、例えば、フレーム内に収容され、フレーム内に組み込まれ、又はフレームに外付けされ得る。
【０００９】
発明の他の側面によると、集積オーディオビジュアル出力デバイスは、少なくとも１つのパネルを備えた少なくともディスプレイ及び少なくとも１つのディスプレイの少なくとも１つのパネルを振動させるためのオーディオ変換部を含み、少なくとも１つのパネルはオーディオ変換部による表現のための少なくともオーディオデータを生成するように動作する駆動回路を備える。駆動回路を備えた少なくとも１つのパネルはそれ自体が振動されてもよいし、ディスプレイが、駆動回路を備えた少なくとも１つのパネル及び振動される第２のパネルを含んでいてもよい。オーディオ変換部は、例えば、圧電素子及び／又はボイスコイルを含む。
【００１０】
本発明のこれら及び他の特徴及び有利な効果は以降の例示的実施例の詳細な説明から明らかとなり、それは添付図面との関連で読まれるものである。
【図面の簡単な説明】
【００１１】
【図１】図１は、発明の実施例による、ディスプレイパネルに連接するボイスコイル及びデバイスのフレームに外付けされたマグネットを有する例示の集積オーディオビジュアルデバイスの少なくとも一部分を示す断面図である。
【図２】図２は、発明の実施例による、ディスプレイパネルに連接するボイスコイル及びデバイスのフレーム内に組み込まれたマグネットを有する例示の集積オーディオビジュアルデバイスの少なくとも一部分を示す断面図である。
【図３】図３は、発明の実施例による、ディスプレイパネルに連接するボイスコイル及びデバイスのフレーム内に収容されたマグネットを有する例示の集積オーディオビジュアルデバイスの少なくとも一部分を示す断面図である。
【図４】図４は、発明の実施例による、ディスプレイパネルに連接するマグネット及びデバイスのフレームに外付けされたボイスコイルを有する例示の集積オーディオビジュアルデバイスの少なくとも一部分を示す断面図である。
【図５】図５は、発明の実施例による、ディスプレイパネルに連接するマグネット及びデバイスのフレーム内に組み込まれたボイスコイルを有する例示の集積オーディオビジュアルデバイスの少なくとも一部分を示す断面図である。
【図６】図６は、発明の実施例による、ディスプレイパネルに連接するマグネット及びデバイスのフレーム内に収容されたボイスコイルを有する例示の集積オーディオビジュアルデバイスの少なくとも一部分を示す断面図である。
【図７】図７はディスプレイパネルが駆動回路を含み、オーディオ出力を生成するために振動される例示の集積オーディオビジュアルデバイスの少なくとも一部分を示す断面図である。
【図８】図８は第１のディスプレイパネルが駆動回路を含み第２のディスプレイパネルがオーディオ出力を生成するために振動される例示の集積オーディオビジュアルデバイスの少なくとも一部分を示す断面図である。
【発明を実施するための形態】
【００１２】
本発明の少なくとも１つの側面が、単一の液晶ディスプレイ、単一の螺旋形誘導性ボイスコイル、単一の永久磁石、及び単一のフレームを含む例示的デバイスの関連でここに記載される。特定のデバイス部材がここに参照されるが、本発明はそれら又はあらゆる特定のデバイス部材又はその構成に限定されないことが理解されるべきである。むしろ、発明は集積オーディオビジュアル出力についての技術に対して一般的に適用可能なものである。例えば、このデバイスは、限定するわけではないが、液晶ディスプレイ、プラズマスクリーン、タッチ式スクリーン、電子ペーパーディスプレイ、発光ダイオード、薄膜トランジスタ（ＴＦＴ）ディスプレイ等を含む任意数及びタイプのディスプレイで使用され得る。各ディスプレイは任意数及びタイプのパネルを含み、例えば、ガラス、プラスチック、非結晶シリコン、他結晶シリコン、連続粒界結晶シリコン等その他あらゆる略透明の素材が含まれる。同様に、このデバイスは任意数及びタイプのボイスコイル（限定するわけではないが、螺旋形誘導型コイル等）、及びマグネット（限定するわけではないが、永久磁石及び電磁石）とともに使用され得る。さらに、デバイスは任意数のフレーム又はフレームなしで構成され得る。本発明の技術は、標準的なオーディオビジュアル表示構成に比べてサイズが小さく周波数応答が向上した集積オーディオビジュアルデバイスを提供することができる。従来のアプローチとは異なり、本発明はボイスコイル及び／又は駆動回路とディスプレイの集積を可能とする。
【００１３】
図１は発明の実施例によって形成された例示の集積オーディオビジュアルデバイス１００の少なくとも一部分を示す断面図である。オーディオビジュアル１００はディスプレイ１１０を含み、それは液晶層１１２をその間に挟んだ２枚のパネル１１１及び１１３を備えた液晶ディスプレイであればよい。ディスプレイ１１０はフレーム１３０に固定され、本発明では堅いフレームに限定されないが、それはプラスチック及び／又は金属のように実質的に堅い材料からなることが好ましい。フレーム１３０はディスプレイ１１０に相対して実質的に固定されることが好ましく、振動を生成するように固定されたフレームに相対して移動するよう部分的に解放されていることが好ましい。ディスプレイ１１０及びフレーム１３０の内部（例えば、フレームの底部及び側壁）によって画定される内部空間１２０が存在することになる。この空間は少なくとも部分的に、例えば、ディスプレイ１１０を点灯するのに使用されるバックライト用回路１６０並びに／又はオーディオビジュアルデバイス１００の表示用のオーディオ及び／若しくはビジュアル出力を生成するのに使用される駆動回路１７０によって占有され得る。空間１２０はまたオーディオ出力のための共振空洞としても作用することができる。
【００１４】
オーディオビジュアルデバイス１００はさらに、ディスプレイ１１０のパネル１１３に連接するボイスコイル１４０及びフレーム１３０に外付けされるマグネット１５０を含むオーディオ変換部を備える。ボイスコイル１４０及びマグネット１５０は、互いの関連で使用されるとき、オーディオ出力を表すために使用することができる。ボイスコイル１４０は好ましくは少なくともパネル１１３において振動を生成する能力がある。ボイスコイル１４０は、当業者には明らかなように、例えば、留め具（例えば、ネジ等）、接着剤等何らかの周知の取付け手段を用いてパネル１１３に取り付けられる。あるいは、ボイスコイル１４０は、例えば、（例えば、導電性インクを用いて）パネル１１３に印刷されてもよい。ボイスコイル１４０は、例えば、螺旋形インダクタ、巻線部、又は電流がボイスコイルに流れるときに電磁界を生成するための代替手段等であってもよい。ボイスコイル１４０は、例えばディスプレイ１１０（例えば、ガラス上システム）のパネル１１３上、空間１２０内、又はフレーム１３０の外部に位置する駆動回路１７０によって制御できる。マグネット１５０は、例えば、永久磁石及び／又は電磁石等であり、図示するようにフレーム１３０の外部に位置するがそれでもボイスコイル１４０に磁力を及ぼすのに十分なほど接近している。
【００１５】
オーディオ変換部に関連する駆動回路によって生成される信号に対応する電流が（マグネット１５０の磁界内にある）ボイスコイル１４０を流れるとき、ボイスコイルはマグネットとの関係で（例えば、ボイスコイルを流れる電流方向に依存してマグネットに向かう方向又は離れる方向で）移動しようとするので、少なくとも連接パネル１１３において振動を誘導する。
【００１６】
図２及び３は、発明の他の実施例による、図１に示す集積オーディオビジュアルデバイス１００の代替の例示的構成を示す断面図である。例えば、図２は、オーディオビジュアルデバイス１００（図１参照）にもあるようなディスプレイ１１０のパネル１１３に連接するボイスコイル２４０からなるオーディオ変換部、及びフレーム１３０の底部に組み込まれたマグネット２５０を含むオーディオビジュアルデバイス２００を示す。マグネット２５０は特定の図示位置においてフレーム１３０に組み込まれるものに限られないことが理解されるべきである。むしろ、マグネット２５０は、ボイスコイル２４０をマグネットに相対して移動させ、それによって少なくともパネル１１３での振動を誘導させるようにボイスコイル２４０に十分近い場所であれば基本的にはフレーム１３０のどこにでも組み込まれ得る。例えば、マグネット２５０はフレーム２３０の１以上の側壁に組み込まれ得る。代替策として、フレーム１３０自体が磁性体材料からなり、それによりマグネットとして挙動するようにしてもよい。
【００１７】
同様に、図３は、オーディオビジュアルデバイス１００（図１参照）にもあるようなディスプレイ１１０のパネル１１３に連接するボイスコイル３４０からなるオーディオ変換部、及びフレーム１３０の内部に包含されたマグネット３５０を含むオーディオビジュアルデバイス３００を示す。マグネット３５０は、例えば、限定するわけではないが、当業者には明らかなように、留め具（例えば、ネジ等）、接着剤等のような何らかの周知の取付け手段を用いてフレーム１３０に取り付けられる。フレーム１３０内のマグネット３５０の位置は特定の図示位置に限定されず、ボイスコイル３４０をマグネットに相対して移動させ、それによって少なくともパネル１１３での振動を誘導させるようにボイスコイル３４０に十分近い場所であれば基本的にはフレーム１３０のどこにでも配置され得る。例えば、マグネット３５０はフレーム１３０の１以上の側壁の内部表面に取り付けられてもよい。あるいは、マグネット３５０は（例えば、磁性インク等を用いて）フレーム１３０上に印刷されてもよい。
【００１８】
図４は、発明の他の実施例によって形成された例示の集積オーディオビジュアルデバイス４００の少なくとも一部分を示す断面図である。オーディオビジュアルデバイス４００はディスプレイ４１０を含み、それは液晶層４１２をその間に挟む２枚のパネル４１１及び４１３を備えた液晶ディスプレイとすることができる。ディスプレイ４１０はフレーム４３０に固定され、発明は堅いフレームには限定されないが、それはプラスチック及び／又は金属のように実質的に堅い材料からなることが好ましい。フレーム４３０はディスプレイ４１０に相対して実質的に固定されることが好ましく、振動を生成するように固定されたフレームに相対して移動するよう部分的に解放されていることが好ましい。ディスプレイ４１０及びフレーム４３０の内部（例えば、フレームの底部及び側壁）によって画定される内部空間４２０が存在することになる。この空間は少なくとも部分的に、例えば、ディスプレイ４１０を点灯するのに使用されるバックライト用回路４６０並びに／又はオーディオビジュアルデバイス４００の表示用のオーディオ及び／若しくはビジュアル出力を生成するのに使用される駆動回路４７０によって占有され得る。空間４２０はまたオーディオ出力のための共振空洞としても作用することができる。
【００１９】
オーディオビジュアル４００はさらに、ディスプレイ４１０のパネル４１３に連接するマグネット４４０及びフレーム４３０に外付けされるボイスコイル４５０を含むオーディオ変換部を備える。マグネット４４０及びボイスコイル４５０は、互いの関連で使用されるとき、オーディオ出力を表すために使用することができる。マグネット４４０は好ましくは少なくともパネル４１３において振動を生成する能力がある。マグネット４４０は、当業者には明らかなように、例えば、留め具（例えば、ネジ等）、接着剤等何らかの周知の取付け手段を用いてパネル４１３に取り付けられる。あるいは、マグネット４４０は、例えば、（例えば、導電性インクを用いて）パネル４１３に印刷されてもよい。マグネット４４０は、例えば、永久磁石及び／又は電磁石等であればよく、電流がボイスコイルに流れるときにマグネットがボイスコイル４５０に相対して移動されるようにボイスコイル４４０に十分接近させて配置されるべきである。ボイスコイル４５０は、例えば、螺旋形インダクタ、巻線部、又は電流がボイスコイルに流れるときに電磁界を生成するための代替手段等であってもよい。ボイスコイル４５０は、例えば、ディスプレイ４１０（例えば、ガラス上システム）のパネル４１３上、空間４２０内、又はフレーム４３０の外部に位置する駆動回路（不図示）によって制御できる。
【００２０】
上述の例示的実施例のように、（例えば、駆動回路によって生成された信号に対応する）電流が、マグネット４４０の磁界内のボイスコイル４５０を流れるとき、ボイスコイルはマグネットに相対して移動しようとする。しかし、例示のオーディオビジュアルデバイス４００では、ボイスコイル４５０がフレーム４３０に固定されて何らかの大きな移動を行うことが妨げられているので、マグネット４４０はマグネットに相対する連接パネル４１３（好ましくはフレーム４３０に沿って移動するように解放されている）を移動させようとする。ボイスコイル４５０に対する移動方向（例えば、ボイスコイルへ向かう方向又はそこから離れる方向）はボイスコイルを流れる電流の方向に依存する。
【００２１】
図５及び６は、発明の他の実施例による、図４に示す集積オーディオビジュアルデバイス４００の代替の例示的構成を示す断面図である。例えば、図５は、オーディオビジュアルデバイス４００（図４参照）にもあるようなディスプレイ４１０のパネル４１３に連接するマグネット４４０からなるオーディオ変換部、及びフレーム４３０の底部に組み込まれたマグネット５５０を含むオーディオビジュアルデバイス５００を示す。ボイスコイル５５０は特定の図示位置においてフレーム４３０に組み込まれるものに限られないことが理解されるべきである。むしろ、ボイスコイル５５０は、ボイスコイルを流れる電流がマグネットの移動をもたらし、少なくとも連接パネル４１３において振動を誘導することができるようにマグネット４４０に十分近い場所であれば基本的にはフレーム４３０のどこにでも組み込まれ得る。例えば、ボイスコイル５５０はフレーム４３０の１以上の側壁に組み込まれ得る。
【００２２】
同様に、図６は、オーディオビジュアルデバイス４００（図４参照）にもあるようなディスプレイ４１０のパネル４１３に連接するマグネット４４０からなるオーディオ変換部、及びフレーム４３０の内部に包含されたボイスコイル６５０を含むオーディオビジュアルデバイス６００を示す。ボイスコイル６５０は、例えば、限定するわけではないが、当業者には明らかなように、留め具（例えば、ネジ等）、接着剤等のような何らかの周知の取付け手段を用いてフレーム４３０に取り付けられる。フレーム４３０内のボイスコイル６５０の位置は特定の図示位置に限定されず、ボイスコイルを流れる電流がマグネットの移動をもたらし、少なくともパネル４１３での振動を誘導させることができる場所であれば基本的にはフレーム４３０のどこにでも配置され得る。例えば、ボイスコイル６５０はフレーム４３０の１以上の側壁の内部表面に取り付けられてもよい。あるいは、例えば、ボイスコイル６５０は（例えば、導電性インク等を用いて）フレーム４３０上に印刷されてもよい。
【００２３】
図７は発明の実施例によって形成された例示のオーディオビジュアルデバイス７００の少なくとも一部分を示す断面図である。オーディオビジュアル７００はディスプレイ７１０を含み、それは液晶層７１２をその間に挟んだ２枚のパネル７１１及び７１３を備えた液晶ディスプレイであればよい。ディスプレイ７１０はフレーム７３０上に実装され、それは好ましくはプラスチック及び／又は金属のように堅い材料からなる。ディスプレイ７１０及びフレーム７３０の底部及び側壁によって画定される内部空間７２０が存在することになり、それは少なくとも部分的に、例えば、ディスプレイ７１０を点灯するのに使用されるバックライト用回路によって占有されることになる。ディスプレイ７１０の少なくとも１つのパネル７１３は、（例えば、ガラス上システム方式を用いて）同じパネル上に配置された駆動回路７４０によって少なくともある程度制御されるオーディオ出力を生成するために（例えば、圧電素子、ボイスコイル、マグネット等のオーディオ変換部７５０によって）振動されることができる。駆動回路７４０及びオーディオ変換部７５０はディスプレイ７１０の同じパネル（例えば７１３）上に配置されなくてもよいことが分かる。
【００２４】
例えば、図８は発明の実施例によって形成された例示のオーディオビジュアルデバイス８００の少なくとも一部分を示す断面図である。オーディオビジュアル８００は、デバイス７００と同様に、それぞれ液晶層８１２をその間に挟んだ第１及び第２のパネル８１１及び８１３を備えた液晶ディスプレイ８１０を含む。ディスプレイ８１０はフレーム８３０上に実装され、それは好ましくはプラスチック及び／又は金属のような実質的に堅い材料からなる。ディスプレイ８１０及びフレーム８３０の底部及び側壁によって画定される内部空間８２０が存在することになり、それは少なくとも部分的に、例えば、ディスプレイ８１０を点灯するのに使用されるバックライト用回路によって占有されることになる。少なくとも第１のパネル８１３は、（例えば、ガラス上システム方式を用いて）第２のパネル８１１上に配置された駆動回路８４０によって少なくともある程度制御されるオーディオ出力を生成するために（例えば、圧電素子、ボイスコイル、マグネット等のオーディオ変換部８５０によって）振動されることができる。
【００２５】
本発明の実施例が添付図面を参照してここに記載されたが、発明はこれらの厳密な実施例に限定されず、添付の特許請求の範囲から離れることなく当業者によって種々の他の変化及び修正がなされ得ることが理解されるべきである。
【図１】
2010526478.tif 000003
【図２】
2010526478.tif 000004
【図３】
2010526478.tif 000005
【図４】
2010526478.tif 000006
【図５】
2010526478.tif 000007
【図６】
2010526478.tif 000008
【図７】
2010526478.tif 000009
【図８】
2010526478.tif 000010
【手続補正書】
【提出日】平成22年1月14日(2010.1.14)
【手続補正１】
【補正対象書類名】特許請求の範囲
【補正対象項目名】全文
【補正方法】変更
【補正の内容】
【特許請求の範囲】
【請求項１】
集積オーディオビジュアル出力デバイスであって、
少なくとも１つのパネルを備えた少なくとも１つのディスプレイ、
該少なくとも１つのパネルに連接する少なくとも１つのボイスコイル、及び
該少なくとも１つのボイスコイルに近接する少なくとも１つのマグネット
を備え、
オーディオ出力を生成するために該少なくとも１つのパネルが振動されるデバイス。
【請求項２】
請求項１のデバイスにおいて、該少なくとも１つのディスプレイが、第１のパネル、第２のパネル及び該第１のパネルと該第２のパネル間に配置された液晶層を備えた少なくとも１つの液晶ディスプレイからなるデバイス。
【請求項３】
請求項１のデバイスにおいて、該少なくとも１つのボイスコイルが少なくとも１つの螺旋形インダクタからなるデバイス。
【請求項４】
請求項１のデバイスにおいて、該少なくとも１つのパネルがオーディオデータ及び／又はビジュアルデータを生成するように動作する駆動回路を備えたデバイス。
【請求項５】
請求項１のデバイスであって、さらに、該少なくとも１つのパネル及び該少なくとも１つのボイスコイルを収容するように構成された少なくとも１つのフレームを備えたデバイス。
【請求項６】
請求項５のデバイスにおいて、該少なくとも１つのボイスコイルが該少なくとも１つのフレーム内に組み込まれたデバイス。
【請求項７】
請求項５のデバイスにおいて、該少なくとも１つのマグネットが該少なくとも１つのフレーム内に組み込まれたデバイス。
【請求項８】
請求項５のデバイスにおいて、該少なくとも１つのマグネットが該少なくとも１つのフレームに外付けされたデバイス。
【請求項９】
集積オーディオビジュアル出力デバイスであって、
少なくとも１つのパネルを備えた少なくとも１つのディスプレイ、
該少なくとも１つのパネルに連接する少なくとも１つのマグネット、及び
該少なくとも１つのボイスコイルに近接する少なくとも１つのボイスコイル
を備え、
オーディオ出力を生成するために該少なくとも１つのパネルが振動されるデバイス。
【請求項１０】
集積オーディオビジュアル出力デバイスであって、
少なくとも１つのパネルを備えた少なくとも１つのディスプレイ、及び
該少なくとも１つのディスプレイの該少なくとも１つのパネルを振動させるためのオーディオ変換部
を備え、
該少なくとも１つのパネルがその上に、該オーディオ変換部によって表現される少なくともオーディオ出力を生成するよう動作する駆動回路を備えたデバイス。
【国際調査報告】
2010526478.tif 000011
2010526478.tif 000012
2010526478.tif 000013
2010526478.tif 000014
2010526478.tif 000015